(57)【要約】【課題】漏洩時に温度上昇を伴わない微少な配管漏洩を確実に検出することが困難となる場合、周辺機器の運転状況や室温変化によって温度上昇が発生し配管漏洩のみの検出が困難となる場合でも、プラント配管および周辺機器等からの微少な漏洩を確実に検出することができ、漏洩検出の高精度化が図れるようにする。【解決手段】漏洩液体との接触により膨潤する膨潤性物質で覆われたフォトニック結晶ファイバ４について、その膨潤による後方散乱光の強度減少を検出する光強度検出手段と、この光強度検出手段によって検出された後方散乱光の強度減少に基づいて液体の漏洩を検出する漏洩検出手段と、漏洩位置の同定を行う演算手段とを備える。【選択図】  図１
2011179916.tif 000002
【特許請求の範囲】
【請求項１】
監視対象からの漏洩液体の発生を監視する漏洩監視装置であって、
監視対象に沿って敷設されたフォトニック結晶ファイバと、
前記フォトニック結晶ファイバを覆い、前記監視対象からの漏洩液体により膨潤して前記フォトニック結晶ファイバを変形させる膨潤性物質と、
前記フォトニック結晶ファイバの一端に光を入射させる光源と、
前記フォトニック結晶ファイバからの出射光の強度を検出する光強度検出手段と、
前記出射光の強度変化に基づいて前記監視対象からの漏洩を検出する演算手段と、を備えたことを特徴とする漏洩監視装置。
【請求項２】
前記出射光が、前記フォトニック結晶ファイバ内で生じた後方散乱光であることを特徴とする請求項１記載の漏洩監視装置。
【請求項３】
前記出射光が、前記フォトニック結晶ファイバの別の一端から出射された伝搬光であることを特徴とする請求項１記載の漏洩監視装置。
【請求項４】
前記出射光を分光して前記光強度検出手段に入射させる分光手段を備えることを特徴とする請求項１乃至請求項３の何れか１項記載の漏洩監視装置。
【請求項５】
前記フォトニック結晶ファイバは、側面とクラッドとを連通する孔部を有することを特徴とする請求項１乃至請求項４の何れか１項記載の漏洩監視装置。
【請求項６】
孔部から前記フォトニック結晶ファイバ内に進入した漏洩液体を除去する乾燥手段を備えることを特徴とする請求項５記載の漏洩監視装置。
【請求項７】
前記乾燥手段が、前記フォトニック結晶ファイバ内部の空孔内に気体を送る送風手段であることを特徴とする請求項６記載の漏洩監視装置。
【請求項８】
前記乾燥手段が、前記フォトニック結晶ファイバの端部に取り付けられる乾燥剤であることを特徴とする請求項６記載の漏洩監視装置。
【請求項９】
監視対象からの漏洩液体の発生を監視する漏洩監視装置であって、
監視対象に沿って敷設されたフォトニック結晶ファイバと、
前記フォトニック結晶ファイバを覆い、前記監視対象からの漏洩液体により膨潤して前記フォトニック結晶ファイバを変形させる膨潤性物質と、
前記フォトニック結晶ファイバの一端にパルス光を入射させる光源と、
前記フォトニック結晶ファイバからの出射光を検出する光検出手段と、
前記出射光のパルス時間幅の変化に基づいて前記監視対象からの漏洩を検出する演算手段と、を備えることを特徴とする漏洩監視装置。
【請求項１０】
前記光源がモード同期レーザにより構成されることを特徴とする請求項１乃至９の何れか１項記載の漏洩監視装置。
【請求項１１】
前記光源が、前記漏洩液体によって吸収される波長を含む光を発生させるように構成されており、前記フォトニック結晶ファイバの前記一端および別の一端の少なくとも何れかから出射する光を分光する第２分光手段を備えることを特徴とする請求項１乃至請求項１０の何れか１項記載の漏洩監視装置。
【発明の詳細な説明】
【技術分野】
【０００１】
本発明はプラント配管等からの液体漏洩を検出する漏洩監視装置に係り、特にフォトニック結晶ファイバの適用により微少な漏洩を確実に検出することができる漏洩監視装置に関するものである。
【背景技術】
【０００２】
一般にプラント配管は各設備機器等の間で多種多様かつ複雑に設置されており、プラント配管の漏洩監視が重要となっている。従来では、このようなプラント配管の漏洩監視について、各配管に沿って光ファイバを敷設し、この光ファイバ中を伝搬する光パルスの後方ラマン散乱光の波長が漏洩部の温度上昇によって変動することを利用して、漏洩検出を行う手法が知られている。
【０００３】
図１２は、従来例による漏洩監視装置を示す構成図である。この図１２に示すように、光ファイバ１００が配管１０４に沿って敷設してあり、この光ファイバ１００の中に光パルスを伝播させる光パルス手段１０１、漏洩部からの後方ラマン散乱光を検出する検出手段１０２ａ，１０２ｂ、後方ラマン散乱光の強度から漏洩を検出する演算手段１０３から構成される漏洩検出装置が挙げられる（例えば、特許文献１，２参照）。
【０００４】
光ファイバ１００の後方ラマン散乱光には、波長が異なる２種類の光が含まれ、その波長は温度によって変動し、その強度比も温度の関数となる。これにより、検出手段１０２ｂにおいて後方ラマン散乱光を波長弁別して検出し、演算手段１０３においてその強度比から温度上昇を求め、配管漏洩を検出する。また、配管漏洩部の位置は、後方ラマン散乱光の伝搬時間から求めている。
【先行技術文献】
【特許文献】
【０００５】
【特許文献１】特開平１０−２８１９２３号公報
【特許文献２】特開平０７−１９８５４０号公報
【発明の概要】
【発明が解決しようとする課題】
【０００６】
上述した従来の漏洩監視装置においては、漏洩部の温度上昇に基づいて配管漏洩の検出を行うため、温度上昇を伴わない微少な配管漏洩を確実に検出することが困難となる場合があった。また、配管漏洩以外についても、周辺機器の運転状況や室温の変化によって温度上昇が発生するため、配管漏洩のみの確実な検出が困難となる場合があった。
【０００７】
本発明はこのような事情に鑑みてなされたものであり、プラント配管および周辺機器等からの微少な漏洩についても確実に検出することができ、漏洩検出の高精度化が図れる漏洩監視装置を提供することを目的とする。
【課題を解決するための手段】
【０００８】
本発明では、監視対象からの漏洩液体の発生を監視する漏洩監視装置であって、監視対象に沿って敷設されたフォトニック結晶ファイバと、前記フォトニック結晶ファイバを覆い、前記監視対象からの漏洩液体により膨潤して前記フォトニック結晶ファイバを変形させる膨潤性物質と、前記フォトニック結晶ファイバの一端に光を入射させる光源と、前記フォトニック結晶ファイバからの出射光の強度を検出する光強度検出手段と、前記出射光の強度変化に基づいて前記監視対象からの漏洩を検出する演算手段と、を備えたことを特徴とする漏洩監視装置を提供する。
【０００９】
本発明において、前記出射光は、前記フォトニック結晶ファイバ内で生じた後方散乱光であることが望ましい。  
本発明において、前記出射光は、前記フォトニック結晶ファイバの別の一端から出射された伝搬光であることが望ましい。  
本発明において、前記出射光を分光して前記光強度検出手段に入射させる分光手段を備えることが望ましい。  
本発明において、前記フォトニック結晶ファイバは、側面とクラッドとを連通する孔部を有することが望ましい。  
本発明において、孔部から前記フォトニック結晶ファイバ内に進入した漏洩液体を除去する乾燥手段を備えることが望ましい。  
本発明において、前記乾燥手段が、前記フォトニック結晶ファイバ内部の空孔内に気体を送る送風手段であることが望ましい。  
本発明において、前記乾燥手段が、前記フォトニック結晶ファイバの端部に取り付けられる乾燥剤であることが望ましい。
【００１０】
本発明において、監視対象からの漏洩液体の発生を監視する漏洩監視装置であって、監視対象に沿って敷設されたフォトニック結晶ファイバと、前記フォトニック結晶ファイバを覆い、前記監視対象からの漏洩液体により膨潤して前記フォトニック結晶ファイバを変形させる膨潤性物質と、前記フォトニック結晶ファイバの一端にパルス光を入射させる光源と、前記フォトニック結晶ファイバからの出射光を検出する光検出手段と、前記出射光のパルス時間幅の変化に基づいて前記監視対象からの漏洩を検出する演算手段と、を備えることが望ましい。
【００１１】
本発明において、前記光源がモード同期レーザにより構成されることが望ましい。  
本発明において、前記光源が、前記漏洩液体によって吸収される波長を含む光を発生させるように構成されており、前記フォトニック結晶ファイバの前記一端および別の一端の少なくとも何れかから出射する光を分光する第２分光手段を備えることが望ましい。
【発明の効果】
【００１２】
本発明によれば、フォトニック結晶ファイバの変形が漏洩液体のみにより発生すること、またフォトニック結晶ファイバはコアへのパルス光の閉じ込め効率が高いため、ファイバの変形による伝搬光や後方散乱光の減少を高感度に検出することができることにより、微少な漏洩を確実に検出することが可能である。
【００１３】
また、フォトニック結晶ファイバを覆う膨潤性物質は、保持手段に覆われる、或いは保持手段の内部に埋め込まれるため漏洩液体以外とは完全に接触がなく、微少な漏洩を確実に検出することが可能である。
【図面の簡単な説明】
【００１４】
【図１】本発明の第１実施形態による漏洩監視装置を示す構成図。
【図２】前記第１実施形態の正常時における後方散乱光の強度と伝搬距離との関係を示す特性図。
【図３】前記第１実施形態の漏洩時における後方散乱光の強度と伝搬距離の関係を示す特性図。
【図４】本発明の第２実施形態による漏洩監視装置を示す構成図。
【図５】前記第２実施形態におけるフォトニック結晶ファイバの保持状態を示す軸方向断面図。
【図６】前記第２実施形態におけるフォトニック結晶ファイバの波長分散特性の例を示す特性図。
【図７】前記第２実施形態におけるフォトニック結晶ファイバの正常時と漏洩時とにおける後方散乱光のパルス波形を示す特性図。
【図８】本発明の第３実施形態による漏洩監視装置を示す構成図。
【図９】（ａ）は前記第３実施形態におけるフォトニック空孔を備えたフォトニック結晶ファイバの構造の例を示す径方向断面図、（ｂ）は（ａ）の軸直角方向断面図。
【図１０】（ａ）は監視対象を示す第３実施形態におけるフォトニック空孔を備えたフォトニック結晶ファイバの構造の例を示す径方向断面図、（ｂ）は（ａ）の軸直角方向断面図。
【図１１】前記第３実施形態におけるフォトニック正常時と漏洩時における後方散乱光のスペクトルを示す特性図。
【図１２】従来例による漏洩監視装置を示す構成図。
【発明を実施するための形態】
【００１５】
以下、本発明に係る漏洩監視装置の実施形態について、図面を参照して説明する。なお以下の実施形態においては、監視対象として、配管、フランジ、弁、ピット、タンク、ポンプ、或いは圧力容器、加圧器、熱交換器などのプラント機器などが挙げられる。
【００１６】
以下の実施形態では代表的に、配管を監視対象とする漏洩監視装置の実施形態について説明する。
【００１７】
［第１実施形態］（図１−図３）
図１は本発明の第１実施形態による漏洩監視装置の構成を示す模式図である。  
図１に示すように、本実施形態の漏洩監視装置は、パルス光を発する光源１と、光源１からのパルス光を伝送し、漏洩液体によって膨潤する膨潤性物質２により覆われ、監視対象３に沿って設置されるフォトニック結晶ファイバ（Ｐｈｏｔｏｎｉｃ  Ｃｒｙｓｔａｌ  Ｆｉｂｅｒ：ＰＣＦ）４とを備えている。
【００１８】
さらに、フォトニック結晶ファイバ４の入射端に設置され、フォトニック結晶ファイバ４の後方散乱光の光強度をパルス光と分離して検出する検出手段５ａ，５ｂと、漏洩液体による膨潤性物質２の膨潤によって変化する後方散乱光の光強度を用い、漏洩検出とその位置を特定する演算手段６と、監視対象３の一部または全体を覆い、フォトニック結晶ファイバ４を内部に保持する保持手段７とを備えている。
【００１９】
フォトニック結晶ファイバ４は、紫外域から近赤外域に至る波長の光が伝送可能であるため、光源１はパルス光を発振する固体、気体、液体、半導体などの各種レーザ光源により構成することができる。例えば、光源１として、ＹＶＯ４レーザ、ＹＬＦレーザ、ＹＡＧレーザ、ルビーレーザ、ガラスレーザ、銅蒸気レーザ、有機色素レーザなどのパルス発振するレーザ光源が挙げられる。或いは、注入電流を時間変調してパルス光を出力するようにしたＧａＡｓや、ＩｎＧａＡｓＰなどの半導体レーザも適用可能である。さらには、レーザ光の遮断と通過とを機械的に繰り返すチョッパー機構を備えたＨｅ−Ｎｅレーザ、Ｈｅ−Ｃｄレーザ、Ａｒレーザ、希土類元素（Ｙｂ，Ｅｒなど）のファイバレーザなどの連続発振するレーザ光源も適用可能である。
【００２０】
また、膨潤性物質２は、漏洩液体を含むことにより膨潤する物質で構成され、フォトニック結晶ファイバ４を被覆している。フォトニック結晶ファイバ４は、膨潤性物質２によって全長にわたって被覆してもよく、また漏洩監視が必要な部分のみ被覆する構成としてもよい。この膨潤性物質２としては、例えば高膨潤性の樹脂やゴムが挙げられる。
【００２１】
監視対象３は前述したように、配管であるものとして以下説明する。  
フォトニック結晶ファイバ４は、ファイバの長手方向に空孔を有するクラッドと固体コア、或いはコアも空孔としたファイバである。フォトニック結晶ファイバ４は純粋石英だけで構成することができ、添加物質が不要であるため耐熱性や耐放射線性に優れ、例えば、原子力プラントのような高温かつ高放射線場において適用する場合に有利である。
【００２２】
さらに、フォトニック結晶ファイバ４は、コアへのパルス光の閉じ込め効率が高いため、長距離の監視が必要な場合にも有利である。フォトニック結晶ファイバ４は、図１に示すように、監視対象３の長手方向に沿って設置され、漏洩液体が膨潤性物質２に接触するように監視対象３の底部に設置される。
【００２３】
なお、フォトニック結晶ファイバ４は底部以外にも、監視対象３の側部や頂部などの任意の位置に設置することができ、さらにフォトニック結晶ファイバ４は、従来の光ファイバに比べて曲げ損失が少ないため、監視対象３の周囲に螺旋状に巻き付けるように設置することもできる。
【００２４】
また、フォトニック結晶ファイバ４の設置本数に制限はない。加えて、フォトニック結晶ファイバ４は、従来の光ファイバに比べてフレネル反射を抑えることができ、またモードフィールド径を大きくすることができるため、低損失のファイバ接続が可能であり、ファイバ同士の融着やコネクタ接続が容易である。  
このため、フォトニック結晶ファイバ４は、保守点検や交換が容易にできるように一定長さに分割して監視対象３に敷設されている。
【００２５】
また、検出手段５ａ，５ｂはパルス光から後方散乱光を分離して、その光強度を検出する手段である。検出手段５ａは後方散乱光を分離する光学素子であり、検出手段５ｂは後方散乱光の光強度を検出する受光素子により構成されている。
【００２６】
フォトニック結晶ファイバ４に対向する検出手段５ａとしては、例えば誘電体膜やクロム等の金属膜のハーフミラーが挙げられ、５ａに隣接する検出手段５ｂとしては、ＰＩＮフォトダオードやアバランシュフォトダオード、光電管や光電子増倍管などが挙げられる。
【００２７】
また、別の構成例として、フォトニック結晶ファイバ４の出射端に検出手段５ｂを設置し、フォトニック結晶ファイバ４の伝搬光の光強度を検出する構成としてもよい。
【００２８】
演算手段６は、光源１へ制御信号を送信してタイミング制御を行う一方、検出手段５ｂが出力する電気信号をデジタルデータへ変換して演算処理を行い、漏洩検出とその位置を特定する。例えば、演算手段６として、赤外通信や無線通信、シリアルやパラレルの有線通信などの通信機能に加え、アナログ・デジタル変換器による入出力機能を備えた汎用パソコン（ＰＣ）が挙げられる。
【００２９】
保持手段７は中空管状に構成されて、監視対象３の一部または全体を覆い、フォトニック結晶ファイバ４を監視対象３の底部或いは側部や頂部、或いは螺旋状に保持する一方、膨潤性物質２の膨潤を拘束する。例えば、監視対象３の保温材としても用いられる場合、保温性や保湿性を持つケイ酸カルシウムなどが保持手段７として好適である。
【００３０】
このような場合、ケイ酸カルシウムによって監視対象３を覆い、ケイ酸カルシウムの内部にフォトニック結晶ファイバ４が埋め込まれる。また、膨潤性物質２の膨潤に対する拘束性を高めるため、ケイ酸カルシウムに対して金属板やワイヤを部分的或いは全体的に巻き付けることも可能である。
【００３１】
本実施形態による光源１から発生したパルス光Ｌ１は、検出手段５ａを透過してフォトニック結晶ファイバ４に、そのフォトニック結晶ファイバ４の一端である入射端４ａから入射する。なお、パルス光Ｌ１の結合効率を高めるため、光学レンズを用いてパルス光を入射させることもできる。
【００３２】
入射したパルス光Ｌ１は、散乱や吸収を受けながらフォトニック結晶ファイバ４の内部を伝搬するが、各部分における散乱光の一部は、パルス光の進行方向とは逆向きに伝搬する後方散乱光Ｌ２となる。
【００３３】
そして、後方散乱光Ｌ２は、フォトニック結晶ファイバ４の入射端４ａから出射し、検出手段５ａにおいて反射して検出手段５ｂにより検出される。演算手段６では、光源１のパルス光の発振時間を基点とし、検出手段５ｂにより検出された後方散乱光の光強度の時間変化を求める。
【００３４】
図２は、本実施形態の正常時における後方散乱光の強度と伝搬距離との関係を示す特性図であり、縦軸に後方散乱光の強度を示し、横軸に伝播距離を示している。  
この図２に、特性線「Ａ１」で示すように、時間に光速を掛けて得られる往復距離を片道である伝搬距離に直すと、パルス光が伝搬するに伴って散乱や吸収により減衰するため、これに比例する後方散乱光も距離が長くなるに従って減衰する。なお、フォトニック結晶ファイバ４の入射端４ａと反対側の端部では、ファイバの端面でパルス光Ｌ１が反射するため、特性線Ａ１の右端（すなわち、入射端４ａと反対側の端部に対応する伝播距離）において高強度の光が観測される。
【００３５】
ここで、監視対象３から漏洩が発生すると、漏洩液体は保持手段７の内部下端に流れ落ちて膨潤性物質２が膨潤する一方、保持手段７によって膨潤性物質２が拘束されるため、フォトニック結晶ファイバ４が径方向に圧縮されて変形する。そして、変形部分では、パルス光の一部がフォトニック結晶ファイバ４のコア以外へ漏れてパルス光が減少し、これにより後方散乱光も減少する。
【００３６】
この結果、演算手段６では図３に特性線Ａ２で示したように、漏洩位置において不連続な光強度の減少（ｄ）を観測することができ、漏洩検出及び漏洩位置の特定が可能となる。ここで、フォトニック結晶ファイバ４の出射端に検出手段５ｂを設置した場合にも、同様の作用によって漏洩検出が可能である。フォトニック結晶ファイバ４は、コアへのパルス光の閉じ込め効率が高いため、図３に示される光強度の減少（ｄ）を高感度に検出することができ、微少な漏洩検出が可能である。
【００３７】
また、膨潤性物質２は漏洩液体に反応して膨潤するため、確実な漏洩検出が可能である。さらに、フォトニック結晶ファイバ４を覆う膨潤性物質２は、保持手段７に覆われ、或いは保持手段７の内部に埋め込まれるため、漏洩液体以外とは完全に接触がなく、微少な漏洩を確実に検出することが可能である。
【００３８】
本実施形態によれば、フォトニック結晶ファイバ４の変形は漏洩液体のみにより発生し、フォトニック結晶ファイバ４はコアへのパルス光の閉じ込め効率が高いため、ファイバの変形による伝搬光や後方散乱光の減少を高感度に検出することができ、微少な漏洩を確実に検出可能である。
【００３９】
また、フォトニック結晶ファイバ４を覆う膨潤性物質２は、保持手段に覆われ、或いは保持手段の内部に埋め込まれるため、漏洩液体以外とは完全に接触がなく、微少な漏洩を確実に検出可能である。
【００４０】
［第２実施形態］
図４は、本発明の第２実施形態による漏洩監視装置を示す構成図である。なお、前記第１実施形態と同一の構成部分については、図１に示した符号と同一の符号を付し、重複する説明は省略する。
【００４１】
本実施形態の漏洩監視装置は、二種類以上の波長の光を含み、漏洩を検出する光源８と、光源８からのパルス光を伝送し、漏洩液体によって膨潤する膨潤性物質２により覆われ、監視対象３に沿って設置されるフォトニック結晶ファイバ４と、フォトニック結晶ファイバ４の出射端に設置され、伝搬後のパルス光の波形を検出する出射側の検出手段９と、漏洩液体による膨潤性物質２の膨潤により変わる伝搬後のパルス光のパルス波形から漏洩を検出する演算手段１０と、から構成される。  
また、本実施形態においても、監視対象３が配管である場合について説明する。
【００４２】
光源８は、二種類以上の波長の光を含む光源で構成され、例えば、アルゴンレーザ、Ｈｅ−Ｃｄレーザ、銅蒸気レーザ等の複数以上の波長が発振可能なレーザ光源、色素レーザやＴｉ：Ｓａｐｐｈｉｒｅレーザ等の広帯域の波長が発振可能なレーザ光源やファイバレーザ等が挙げられる。
【００４３】
さらに光源８として、色素レーザ、Ｔｉ：Ｓａｐｐｈｉｒｅレーザ、ファイバレーザ等によって構成されるモード同期レーザを用いることにより、フォトニック結晶ファイバ４の内部においてスーパーコンティニュウム光が容易に生成でき、超広帯域光源として作用する。
【００４４】
また、光源８は、波長が異なる複数のレーザ光源を組み合わせる、或いは高調波、和周波や差周波の波長の光を発生させる非線形結晶とレーザ光源を組み合わせて構成することもできる。
【００４５】
レーザ光源以外にも、ＡＳＥ光源（Ａｍｐｌｉｆｉｅｄ  Ｓｐｏｎｔａｎｅｏｕｓ  Ｅｍｉｓｓｉｏｎ）やＳＬＤ光源（Ｓｕｐｅｒ  Ｌｕｍｉｎｅｓｃｅｎｔ  Ｄｉｏｄｅ）等の広帯域光源も光源８として適用できる。
【００４６】
検出手段９は、パルス光の波形を測定する受光素子であり、第１実施形態の検出手段（５ｂ）と同様、ＰＩＮフォトダオードやアバランシュフォトダオード、光電管や光電子増倍管などで構成される。
【００４７】
演算手段１０は、光源８に制御信号を送信してタイミング制御を行う一方、検出手段９が出力する電気信号をデジタルデータへ変換して演算処理を行い、漏洩を検出する。演算手段１０は、第１実施形態の演算手段６と同様、例えば、通信機能や入出力機能を備えた汎用ＰＣで構成される。
【００４８】
また、本実施形態では、フォトニック結晶ファイバ４は、監視対象３の断面図である図５に示されるようにＶ字構造板１１ａ，１１ｂの下端に設置され、拘束ワイヤ１２によって膨潤性物質２の膨潤を拘束する構造となっている。
【００４９】
次に、図６および図７を参照して作用を説明する。図６はフォトニック結晶ファイバの波長分散特性の一例を示す特性図である。波長分散特性１４は正常時、波長分散特性１５は漏洩時の分散特性を示す。  
図７はフォトニック結晶ファイバの後方散乱光のパルス波形を示す特性図である。波形１３が正常時、波形１６が漏洩時の波形を示す。
【００５０】
図６に示すλａ及びλｂの波長を含む光源８のパルス光は、フォトニック結晶ファイバ４の内部を伝搬して出射し、検出手段９により検出される。そして、漏洩が無い時に検出されたパルス波形は、図７に示すように、正常時の波形１３として演算手段１１の内部に記憶される。なお、記憶される正常時の波形１３は、逐次更新してもよい。
【００５１】
ここで監視対象３から漏洩が発生すると、漏洩液体はＶ字構造板１１ａ，１１ｂの下端に流れ落ちて膨潤性物質２が膨潤する一方、拘束ワイヤ１２によって膨潤性物質２が拘束されるため、フォトニック結晶ファイバ４が変形する。
【００５２】
そして、変形部分では、波長分散特性が図６に示すように漏洩が無い時の波長分散特性１４から漏洩時の波長分散特性１５へ敏感に変化し、λａとλｂの波長における分散の相対差が変わる。
【００５３】
フォトニック結晶ファイバ４は、λａとλｂの波長間に分散差が無いゼロ分散の制御が容易であり、漏洩による変形時には大きな分散差を生じさせることができる。これにより、検出手段９によって検出される漏洩時の波形１６は、図７に示されるように正常時の波形１３と比べてパルス時間幅が広がることになる。
【００５４】
この結果、演算手段１１において、パルス時間幅の変化の有無を測定することにより、漏洩検出が可能となる。パルス時間幅は、波高値の０．１３５（＝ｅ−２）倍、或いは０．５倍など波高値に係数を掛けた場合のパルス時間幅として測定する。
【００５５】
さらに、このパルス時間幅、或いはパルス波形の極大値の時間間隔や個数などを特徴量して、ニューラルネットワークによりパルス時間幅の変化の有無を測定することもできる。
【００５６】
また、正常時の波形１３と漏洩時の波形１６の相互相関を計算することによっても、パルス時間幅の変化の有無を高精度に測定することもできる。
【００５７】
フォトニック結晶ファイバ４は、変形によって波長分散特性が敏感に変わり、また波長分散特性の制御が容易であることから２つの波長間に大きな分散差を発生させることができるため、パルス時間幅の変化の有無を高感度に検出でき、微少な漏洩検出が可能である。
【００５８】
特に、光源８としてモード同期レーザを用いた場合、非線形効果によりフォトニック結晶ファイバ４の内部にスーパーコンティニュウム光が発生することから波長帯域が広いパルス光となって波長差が大きいλａ及びλｂが得られ、漏洩による変形時に大きな分散差が生じてパルス時間幅の変化の有無を高感度に検出でき、微少な漏洩検出が可能である。
【００５９】
本実施形態によれば、フォトニック結晶ファイバの変形は漏洩液体のみにより発生し、この変形によって波長分散特性が敏感に変わり、また波長分散特性の制御が容易であることからファイバの変形により２つの波長間に大きな分散差を発生させることができるため、パルス時間幅の変化の有無を高感度に検出でき、微少な漏洩検出が可能である。
【００６０】
また、光源としてモード同期レーザを用いた場合、非線形効果によりフォトニック結晶ファイバの内部にスーパーコンティニュウム光を発生できることから波長帯域が広いパルス光となって二つの波長間に大きな波長差が得られて分散差を大きくすることができるため、パルス時間幅の変化の有無を高感度に検出でき、微少な漏洩検出が可能である。
【００６１】
［第３実施形態］
次に、図８を参照して本発明に係る漏洩監視装置の第３実施形態を説明する。なお第１実施形態および第２実施形態と同一の構成については図に同一の符号を付し、重複する説明は省略する。
【００６２】
本実施形態は、漏洩液体によって吸収される波長の光を含む光源１７と、監視対象３に沿って設置され、クラッドとファイバ表面とが通じる空孔を備えて光源１７のパルス光を伝送する複数のフォトニック結晶ファイバ１８とを備えている。
【００６３】
また、フォトニック結晶ファイバ１８の入射端に設置され、フォトニック結晶ファイバ１８の後方散乱光をパルス光と分離する検出手段５ａと、分離された後方散乱光を分光する分光手段２０とを備えている。
【００６４】
さらに、漏洩液体によるパルス光の吸収によって変化する後方散乱光のスペクトルを用い、漏洩検出とその漏洩位置、漏洩液体の特定を行う演算手段２１と、フォトニック結晶ファイバ１８の出射端に設置され、フォトニック結晶ファイバ１８の内部へ乾燥気体、例えば窒素を送風する送風手段２２とを備えている。  
なお、本実施形態においても、監視対象３の例を配管として説明する。
【００６５】
光源１７は、漏洩液体によって吸収される波長の光を含む光源であり、光源１，８と同様のものを用いることができる。フォトニック結晶ファイバ１８は、クラッドとファイバ表面とが通じる空孔１９を備えたフォトニック結晶ファイバである。
【００６６】
空孔１９は、図９（ａ）に軸直角断面として示したように、クラッドとファイバ表面とが通じる構造になっている。また、空孔１９は、図９（ｂ）に示すように、周方向に沿う配置とし、漏洩を検出する位置のみに設けても、あるいは至る所に設けてもよく、空孔１９の個数に制限はない。
【００６７】
なお、本実施形態には、３本のフォトニック結晶ファイバ１８が監視対象３に設置されるが、フォトニック結晶ファイバ１８に付帯する構成は同一であるため、その内の１本について作用を説明し、他の２本についての図示及び説明は省略する。
【００６８】
分光手段２０は、後方散乱光のスペクトルを測定する手段であり、透過型や反射型の回折格子を備えた光検出器により構成される。例えば、回折格子には、グレーティングやプリズムなどを適用することができ、光検出器には検出手段５ｂやＣＣＤなどを適用することができる。
【００６９】
さらに、光検出器として、アレイタイプの光検出器を用いることによりスペクトルを一括して測定することができる。また、フォトニック結晶ファイバ１８の出射端に分光手段２０を設置し、フォトニック結晶ファイバ１８の伝搬光のスペクトルを測定する構成としてもよい。
【００７０】
演算手段２１は、光源１７に制御信号を送信してタイミング制御を行う一方、分光手段２０が出力する電気信号をデジタルデータへ変換して演算処理を行い、漏洩を検出する。この演算手段２１は、演算手段６，１０と同様、例えば、通信機能や入出力機能を備えた汎用ＰＣで構成される。
【００７１】
送風手段２２は、フォトニック結晶ファイバ１８の入射端または出射端に設置され、クラッド或いはコアの空孔内へ乾燥気体を送る手段であり、例えば、ファンやブロアが挙げられる。また、乾燥気体は、漏洩液体を吸収するガス、或いは窒素やアルゴンなどの不活性ガスが適用できる。
【００７２】
また、本実施形態では、フォトニック結晶ファイバ１８は、図１０（ａ），（ｂ）に示されるように監視対象３と板２３の間に挟み込まれる構造となっている。なお、図１０には、３本のフォトニック結晶ファイバ１８を表示しているが、それぞれの入射端及び出射端を接続して１本のフォトニック結晶ファイバ１８とすることもできる。なお、板２３は、監視対象３の全体を覆ってもよく、或いは漏洩監視部分だけを覆う寸法でもよい。また、板２３は、拘束ワイヤ１２としてもよい。
【００７３】
次に、作用を説明する。  
漏洩液体によって吸収される波長の光を含む光源１７のパルス光は、フォトニック結晶ファイバ１８へ入射して散乱や吸収を受けながら伝搬する一方、各部分からの後方散乱光は、フォトニック結晶ファイバ１８の入射端から出射し、検出手段５ａにおいて反射して分光手段２０により分光される。そして、漏洩が無い時に分光されたスペクトルは、正常時のスペクトル２４として演算手段２１の内部に記憶される。なお、正常時のスペクトル２４は、逐次更新してもよい。
【００７４】
ここで、監視対象３から漏洩が発生すると、漏洩液体は、監視対象３の表面を流れ落ちるまたは噴出して板２３の内側表面を流れ落ち、いずれかのフォトニック結晶ファイバ１８と接触して空孔１９から内部のクラッドへ侵入する。
【００７５】
そして、クラッド内の漏洩液体の侵入部分では屈折率が上がり、パルス光の一部がフォトニック結晶ファイバ１８のコア以外へ漏れてパルス光が減少し、これにより後方散乱光が減少する。
【００７６】
さらに、漏洩液体によって吸収される波長成分がパルス光に含まれるため、クラッド内の漏洩液体の侵入部分ではこの波長成分のパルス光が漏洩液体により吸収され、後方散乱光のうち、漏洩液体によって吸収される波長成分が減少する。
【００７７】
フォトニック結晶ファイバ１８は、クラッドを構成する空孔の充填物質によってクラッドの屈折率が変わり、コア内へのパルス光の閉じ込め効率を容易に変化させることができる。また、フォトニック結晶ファイバ１８では、パルス光の一部がクラッドを構成する空孔へ浸み出すため、空孔内へ侵入した漏洩液体と相互作用する。
【００７８】
これにより、図１１に示したように、フォトニック結晶ファイバ１８を出射して分光手段２０において分光される後方散乱光の漏洩時のスペクトル２５は、正常時のスペクトル２４と比べてスペクトル全体の強度が減少し、さらに漏洩液体によって吸収される波長成分が減少する。
【００７９】
この結果、演算手段２１において、後方散乱光のスペクトルの強度及び分布の変化の有無を測定することにより、漏洩検出が可能となる。他方、漏洩位置については、光源１７のパルス光の発振時間を基点して後方散乱光のスペクトル強度や分布が変化した観測時間を求め、この観測時間に光速を掛けて得られる往復距離を半分の片道に直して求める。
【００８０】
後方散乱光のスペクトル強度の変化は、スペクトルのピーク値或いは特定波長の強度変化から判定する。
【００８１】
ここで、フォトニック結晶ファイバ１８の出射端に分光手段２０を設置した場合にも、同様の作用によって漏洩検出が可能である。
【００８２】
他方、スペクトル分布の変化は、漏洩液体によって吸収される波長の強度変化から測定する。さらには、正常時のスペクトル２４と漏洩時のスペクトル２５の相互相関を計算することにより、スペクトル分布の変化を測定することもできる。
【００８３】
なお、漏洩検出は、後方散乱光のスペクトルの強度変化だけでも判定可能であるし、スペクトルの分布変化だけでも可能である。
【００８４】
また、両方を組み合わせ、スペクトルの強度と分布の両方が変化した場合に漏洩有りと判定する、或いはどちらかが変化した場合に漏洩有りと判定することによって判定の信頼性を上げることができる。
【００８５】
さらには、吸収波長は物質に固有であることより、漏洩時のスペクトル２５において減少している波長成分から漏洩液体を特定することもできる。ここで、フォトニック結晶ファイバ１８の出射端に分光手段２０を設置した場合にも、同様の作用によって漏洩検出が可能である。
【００８６】
特に、光源１７としてモード同期レーザを用いた場合、非線形効果によりフォトニック結晶ファイバ１８の内部にスーパーコンティニュウム光が発生することから波長帯域が広いパルス光となって光コムとなり、広範囲のスペクトル分布の変化を測定でき、多種の漏洩液体の漏洩検出が可能となる。
【００８７】
漏洩検出後は、演算手段２１からの制御信号によって送風手段２２が動作して空孔内へ乾燥気体が送られ、空孔内の漏洩液体が蒸発或いはフォトニック結晶ファイバ１８の入射端から押し出されることによって、漏洩が無い正常なフォトニック結晶ファイバ１８に戻る。
【００８８】
なお、フォトニック結晶ファイバ１８が正常な状態に戻ったかどうかについては、後方散乱光のスペクトルの強度や分布を測定して判定することができる。
【００８９】
本実施形態によれば、フォトニック結晶ファイバ１８は、クラッドを構成する空孔の充填物質によってクラッドの屈折率が変わり、コア内へのパルス光の閉じ込め効率を容易に変化させることができるため、クラッドとファイバ表面とが通じる空孔からクラッド内へ漏洩液体を導いて屈折率を変え、パルス光の閉じ込め効率を変化させることによって伝搬光や後方散乱光の減少を高感度に検出することができ、微少な漏洩検出が可能である。
【００９０】
また、フォトニック結晶ファイバ１８では、パルス光の一部がクラッドを構成する空孔へ浸み出す一方、空孔内へ侵入した漏洩液体に吸収される波長成分があるため、伝搬光や後方散乱光のスペクトル分布の変化から漏洩液体を高感度に検出することができ、さらに吸収される波長成分から漏洩液体の種類が特定できるため、微少な漏洩が確実に検出可能である。
【００９１】
また、モード同期レーザを適用することによってフォトニック結晶ファイバ１８の内部にスーパーコンティニュウム光を発生させることができ、波長帯域が広いパルス光となって広範囲のスペクトル分布の変化を測定することができ、多種の漏洩液体の漏洩検出が可能となる。
【００９２】
さらには、クラッド或いはコアを構成する空孔の内部に侵入した漏洩液体を蒸発させる、或いはフォトニック結晶ファイバ１８の入射端や出射端から押し出すことにより、フォトニック結晶ファイバ１８を正常な状態に保つことができ、微少な漏洩が確実に検出可能である。
【００９３】
なお、本実施形態において、漏洩検出後に送風手段２２によって漏洩液体をフォトニック結晶ファイバ１８から除去するものとして説明したが、例えば、フォトニック結晶ファイバ１８の入射端ないし出射端に乾燥剤（例えばシリ化ゲル）を取り付けて漏洩液体を除去することも可能である。
【符号の説明】
【００９４】
１  光源
２  膨潤性物質
３  監視対象
４  フォトニック結晶ファイバ
５ａ，ｂ  検出手段
６  演算手段
７  保持手段
８  光源
９  出射側の検出手段
１０  演算手段
１１ａ，ｂ  Ｖ字構造板
１２  拘束ワイヤ
１３  正常時の波形
１４  漏洩が無い時の特性
１５  漏洩時の特性
１６  漏洩時の波形
１７  光源
１８  フォトニック結晶ファイバ
１９  空孔
２０  分光手段
２１  演算手段
２２  送風手段
２３  板
２４  正常時のスペクトル
２５  漏洩時のスペクトル
【図１】
2011179916.tif 000003
【図２】
2011179916.tif 000004
【図３】
2011179916.tif 000005
【図４】
2011179916.tif 000006
【図５】
2011179916.tif 000007
【図６】
2011179916.tif 000008
【図７】
2011179916.tif 000009
【図８】
2011179916.tif 000010
【図９】
2011179916.tif 000011
【図１０】
2011179916.tif 000012
【図１１】
2011179916.tif 000013
【図１２】
2011179916.tif 000014